(57)【要約】【課題】共通電極電圧（Ｖｃｏｍ）の調整を不要にすることができ、ひいては製造工程を簡略化することができる液晶表示装置用基準電圧回路を得る。【解決手段】液晶表示装置用基準電圧回路１００には、入力された階調データに基づいて２５６階調の正極及び負極の階調基準電圧を生成するデジタルアナログコンバータ１０と、基準電圧を分圧した共通電極電圧（Ｖｃｏｍ）を生成する共通電極電圧生成回路２０とを設けた。【選択図】図１
2008083399.tif 000002
【特許請求の範囲】
【請求項１】
入力された階調データに基づいて複数階調の階調基準電圧を生成するデジタル階調基準電圧生成回路と、
共通電極電圧を生成する共通電極電圧生成回路と
を備えたことを特徴とする液晶表示装置用基準電圧回路。
【請求項２】
前記デジタル階調基準電圧生成回路は、外部のＲＯＭから入力された階調データに基づいて複数階調の正極及び負極の階調基準電圧を生成するデジタルアナログコンバータであり、
前記共通電極電圧生成回路は、所定の基準電圧を分圧した共通電極電圧を生成する
ことを特徴とする請求項１記載の液晶表示装置用基準電圧回路。
【請求項３】
複数階調の階調データを記憶するＲＯＭをさらに備え、
前記デジタル階調基準電圧生成回路は、前記ＲＯＭから入力された階調データに基づいて複数階調の正極及び負極の階調基準電圧を生成するデジタルアナログコンバータであり、
前記共通電極電圧生成回路は、所定の基準電圧を分圧した共通電極電圧を生成する
ことを特徴とする請求項１記載の液晶表示装置用基準電圧回路。
【請求項４】
入力された階調データに基づいて複数階調の階調基準電圧を生成するとともに、共通電極電圧を生成するデジタル電圧生成回路
を備えたことを特徴とする液晶表示装置用基準電圧回路。
【請求項５】
前記デジタル電圧生成回路は、外部のＲＯＭから入力された階調データに基づいて複数階調の正極及び負極の階調基準電圧を生成するとともに、共通電極電圧を生成するデジタルアナログコンバータである
ことを特徴とする請求項４記載の液晶表示装置用基準電圧回路。
【請求項６】
複数階調の階調データを記憶するＲＯＭをさらに備え、
前記デジタル電圧生成回路は、前記ＲＯＭから入力された階調データに基づいて複数階調の正極及び負極の階調基準電圧を生成するとともに、共通電極電圧を生成するデジタルアナログコンバータである
ことを特徴とする請求項４記載の液晶表示装置用基準電圧回路。
【請求項７】
前記デジタル階調基準電圧生成回路は、外部のＲＯＭから入力された制御データに基づいて複数階調の正極及び負極の階調基準電圧を生成するデジタルポテンショメータであり、
前記共通電極電圧生成回路は、所定の基準電圧を分圧した共通電極電圧を生成する
ことを特徴とする請求項１記載の液晶表示装置用基準電圧回路。
【請求項８】
制御データを記憶するＲＯＭをさらに備え、
前記デジタル階調基準電圧生成回路は、前記ＲＯＭから入力された制御データに基づいて複数階調の正極及び負極の階調基準電圧を生成するデジタルポテンショメータであり、
前記共通電極電圧生成回路は、所定の基準電圧を分圧した共通電極電圧を生成する
ことを特徴とする請求項１記載の液晶表示装置用基準電圧回路。
【発明の詳細な説明】
【技術分野】
【０００１】
この発明は、階調基準電圧と共通電極電圧を生成する液晶表示装置用基準電圧回路に関するものである。
【背景技術】
【０００２】
従来の液晶表示装置用基準電圧回路について図５を参照しながら説明する。図５は、従来の液晶表示装置用基準電圧回路の構成を示す図である（例えば、特許文献１参照）。
【０００３】
図５において、液晶表示装置用基準電圧回路３００は、第１、第２の基準電圧がそれぞれ印加される基準電圧端子３０１、３０２と、基準電圧端子３０１、３０２間に直列接続された複数の抵抗３０３とが設けられている。
【０００４】
この図５に示す基準電圧回路３００は、基準電圧端子３０１、３０２にそれぞれ印加された第１、第２の基準電圧の差分電圧を複数の抵抗３０３により分圧して、例えば２５６階調の階調基準電圧（Ｖ２５５正極、Ｖ２５４正極、Ｖ２５３正極、〜、Ｖ１２８正極、Ｖ１２７正極、Ｖ１２６正極、〜、Ｖ２正極、Ｖ１正極、Ｖ０正極、Ｖ０負極、Ｖ１負極、Ｖ２負極、〜、Ｖ１２６負極、Ｖ１２７負極、Ｖ１２８負極、〜、Ｖ２５３負極、Ｖ２５４負極、Ｖ２５５負極）を生成するとともに、共通電極電圧（Ｖｃｏｍ）を生成する。なお、図５では、一部の階調基準電圧を省略している。
【０００５】
液晶表示装置は、交流駆動を行っている。この交流駆動電圧を液晶パネルの画素電極に加えている。画素電極と対を成す対向電極が液晶パネルの共通電極である。この共通電極には交流駆動による残留ＤＣが発生しないように、共通電極電圧（Ｖｃｏｍ）を印加する必要がある。従来は、階調基準電圧を固定とし、共通電極電圧（Ｖｃｏｍ）を製造工程で１台１台調整して製造ばらつきを無くしていた。
【０００６】
【特許文献１】特開平７−３２５５５６号公報
【発明の開示】
【発明が解決しようとする課題】
【０００７】
上述したような従来の液晶表示装置用基準電圧回路では、正極性と負極性のバランス調整を共通電極電圧（Ｖｃｏｍ）のみで行っていたため、表示階調によってはバランスが取れず残留ＤＣによる焼きつきを発生させているという問題点があった。
【０００８】
この発明は、上述のような課題を解決するためになされたもので、その目的は、共通電極電圧（Ｖｃｏｍ）の調整を不要にすることができ、ひいては製造工程を簡略化することができる液晶表示装置用基準電圧回路を得るものである。
【課題を解決するための手段】
【０００９】
この発明に係る液晶表示装置用基準電圧回路は、入力された階調データに基づいて複数階調の階調基準電圧を生成するデジタル階調基準電圧生成回路と、共通電極電圧を生成する共通電極電圧生成回路とを設けたものである。
【発明の効果】
【００１０】
この発明に係る液晶表示装置用基準電圧回路は、共通電極電圧の調整を不要にすることができ、ひいては製造工程を簡略化することができるという効果を奏する。
【発明を実施するための最良の形態】
【００１１】
実施の形態１．
この発明の実施の形態１に係る液晶表示装置用基準電圧回路について図１から図４までを参照しながら説明する。図１は、この発明の実施の形態１に係る液晶表示装置用基準電圧回路の構成を示す図である。
【００１２】
図１において、この実施の形態１に係る液晶表示装置用基準電圧回路１００は、階調基準電圧を生成するデジタルアナログコンバータ（ＤＡＣ）（デジタル階調基準電圧生成回路）１０と、共通電極電圧を生成する共通電極電圧生成回路２０とが設けられている。
【００１３】
また、共通電極電圧生成回路２０は、第１の端子２１と、第１の抵抗２２と、第２の端子２３と、第２の抵抗２４と、オペアンプ２５とから構成されている。
【００１４】
図２は、この発明の実施の形態１に係る液晶表示装置の構成を示すブロック図である。図２において、この基準電圧回路１００は、液晶パネル４０と、データ線駆動回路５０と、走査線駆動回路６０と、表示制御回路７０と、ＲＯＭ８０と、電源回路９０などとともに、液晶表示装置を構成している。なお、ＲＯＭ８０は、基準電圧回路１００に内蔵されてもよい。
【００１５】
つぎに、この実施の形態１に係る液晶表示装置用基準電圧回路の動作について図面を参照しながら説明する。
【００１６】
基準電圧回路１００のデジタルアナログコンバータ（ＤＡＣ）１０は、ＲＯＭ８０からシリアルに送られてくる階調データを入力し、階調データの値に応じて、例えば２５６階調の階調基準電圧（Ｖ２５５正極、Ｖ２５４正極、Ｖ２５３正極、〜、Ｖ１２８正極、Ｖ１２７正極、Ｖ１２６正極、〜、Ｖ２正極、Ｖ１正極、Ｖ０正極、Ｖ０負極、Ｖ１負極、Ｖ２負極、〜、Ｖ１２６負極、Ｖ１２７負極、Ｖ１２８負極、〜、Ｖ２５３負極、Ｖ２５４負極、Ｖ２５５負極）を生成する。このＲＯＭ８０には、予め、例えば２５６階調の階調データが記憶されている。なお、図１では、一部の階調基準電圧を省略している。
【００１７】
また、共通電極電圧生成回路２０は、第１の端子２１に印加された所定の基準電圧を、第１の端子２１と第２の端子２３の間に接続された第１の抵抗２２と、第２の端子２３とアースの間に接続された第２の抵抗２４により分圧し、オペアンプ２５を通して共通電極電圧（Ｖｃｏｍ）を生成する。
【００１８】
液晶表示装置は、交流駆動を行っている。この交流駆動電圧を液晶パネルの画素電極に加えている。画素電極と対を成す対向電極が液晶パネルの共通電極である。この共通電極には交流駆動による残留ＤＣが発生しないように、共通電極電圧（Ｖｃｏｍ）を印加する必要がある。
【００１９】
この実施の形態１に係る液晶表示装置用基準電圧回路１００は、共通電極電圧（Ｖｃｏｍ）の調整を無くすとともに、さらに精度の良い残留ＤＣ対策を施すものである。具体的には、上述したようにデータ線駆動回路（ドライバ）５０に供給する階調基準電圧をデジタルアナログコンバータ（ＤＡＣ）１０を用いて生成し、液晶パネル４０の画素電極に印加する正極電圧と負極電圧を調整する。さらに、各階調基準電圧ごとに正負バランス調整を施す。
【００２０】
上述したように、階調基準電圧（Ｖ２５５正極〜Ｖ０正極、Ｖ０負極〜Ｖ２５５負極）を、デジタルアナログコンバータ（ＤＡＣ）１０を用いて生成しており、共通電極電圧（Ｖｃｏｍ）の調整を不要としている。このデジタルアナログコンバータ（ＤＡＣ）１０では、出力電圧を正極性と負極性を独立で制御し出力できるため、共通電極電圧（Ｖｃｏｍ）の調整は不要である。
【００２１】
上記の基準電圧回路１００により、共通電極電圧（Ｖｃｏｍ）の調整は不要になる。また、階調基準電圧ごとに正負バランス調整が行われるため、従来よりも精度の高い調整が行われ、焼きつき発生の原因となる残留ＤＣの問題が解決する。すなわち、基準電圧回路１００では、基準階調ごとに正極性と負極性のバランスが調整されるため、従来例より残留ＤＣが少なく、焼きつきの発生を低減している。
【００２２】
なお、デジタルアナログコンバータ（ＤＡＣ）１０の出力数に余裕があれば、図３に示すように、共通電極電圧（Ｖｃｏｍ）をデジタルアナログコンバータ（ＤＡＣ）１０から出力しても良い。すなわち、デジタルアナログコンバータ（ＤＡＣ）（デジタル電圧生成回路）１０は、ＲＯＭ８０からシリアルに送られてくる階調データを入力し、階調データの値に応じて、例えば２５６階調の階調基準電圧（Ｖ２５５正極、Ｖ２５４正極、Ｖ２５３正極、〜、Ｖ１２８正極、Ｖ１２７正極、Ｖ１２６正極、〜、Ｖ２正極、Ｖ１正極、Ｖ０正極、Ｖ０負極、Ｖ１負極、Ｖ２負極、〜、Ｖ１２６負極、Ｖ１２７負極、Ｖ１２８負極、〜、Ｖ２５３負極、Ｖ２５４負極、Ｖ２５５負極）と共通電極電圧（Ｖｃｏｍ）を生成する。なお、図３では、一部の階調基準電圧を省略している。また、ＲＯＭ８０は、基準電圧回路１００に内蔵してもよい。この際も、共通電極電圧（Ｖｃｏｍ）の調整は不要で、正極性と負極性の階調基準電圧を制御すると良い。
【００２３】
この実施の形態１では、簡略化のためデジタルアナログコンバータ（ＤＡＣ）１０を用いて階調基準電圧を生成しているが、本発明は必ずしもこの限りではない。デジタルアナログコンバータ（ＤＡＣ）１０を用いずに、図４に示すように、デジタルポテンショメータ（デジタル階調基準電圧生成回路）１０Ａを用いて正極性と負極性の電圧を制御して生成すれば、同様の効果が得られる。すなわち、デジタルポテンショメータ１０Ａは、表示制御回路７０やＲＯＭ８０などから送られてくる制御データ（ＩＮＣ、Ｕ／Ｄ、ＣＳ１０〜ＣＳ１：なお、記号の上に付するオバーラインは省略している。）を入力し、制御データに応じて、例えば２５６階調の階調基準電圧（Ｖ２５５正極、Ｖ２５４正極、Ｖ２５３正極、〜、Ｖ１２８正極、Ｖ１２７正極、Ｖ１２６正極、〜、Ｖ２正極、Ｖ１正極、Ｖ０正極、Ｖ０負極、Ｖ１負極、Ｖ２負極、〜、Ｖ１２６負極、Ｖ１２７負極、Ｖ１２８負極、〜、Ｖ２５３負極、Ｖ２５４負極、Ｖ２５５負極）を生成する。共通電極電圧（Ｖｃｏｍ）は、図１と同様に生成する。なお、図４では、一部の階調基準電圧を省略している。また、共通電極電圧（Ｖｃｏｍ）をデジタルポテンショメータ１０Ａから出力しても良い。さらに、ＲＯＭ８０は、基準電圧回路１００に内蔵してもよい。
【図面の簡単な説明】
【００２４】
【図１】この発明の実施の形態１に係る液晶表示装置用基準電圧回路の構成を示す図である。
【図２】この発明の実施の形態１に係る液晶表示装置の構成を示すブロック図である。
【図３】この発明の実施の形態１に係る液晶表示装置用基準電圧回路の別の構成を示す図である。
【図４】この発明の実施の形態１に係る液晶表示装置用基準電圧回路の他の別の構成を示す図である。
【図５】従来の液晶表示装置用基準電圧回路の構成を示す図である。
【符号の説明】
【００２５】
１０  デジタルアナログコンバータ、１０Ａ  デジタルポテンショメータ、２０  共通電極電圧生成回路、２１  第１の端子、２２  第１の抵抗、２３  第２の端子、２４  第２の抵抗、２５  オペアンプ、４０  液晶パネル、５０  データ線駆動回路、６０  走査線駆動回路、７０  表示制御回路、８０  ＲＯＭ、９０  電源回路、１００  液晶表示装置用基準電圧回路。
【図１】
2008083399.tif 000003
【図２】
2008083399.tif 000004
【図３】
2008083399.tif 000005
【図４】
2008083399.tif 000006
【図５】
2008083399.tif 000007